(57)【特許請求の範囲】
【請求項１】
コンテンツデータの出力順序に基づく送信指示をコンテンツ出力装置から受信するための受信処理を行い、前記コンテンツ出力装置へのコンテンツデータの送信開始までの待ち時間を含む、前記コンテンツ出力装置へのコンテンツデータの送信開始までの待ち状況を示す待機情報を、前記コンテンツ出力装置から受信する受信部と、
前記送信指示に応じて前記コンテンツ出力装置へのコンテンツデータの送信を開始する送信部と、
前記待機情報に応じて変更される間欠受信周期に従って前記受信部に前記受信処理を行わせる制御部と、
を備える、コンテンツ送信装置。
【請求項２】
前記間欠受信周期は、前記待機情報に含まれる前記待ち時間の値が大きいほど長くなるように決定される、請求項１に記載のコンテンツ送信装置。
【請求項３】
前記制御部は、前記コンテンツ出力装置との接続が切断されてから前記待機情報に応じた切断時間が経過した後、前記コンテンツ出力装置との再接続処理を行う、請求項１または２に記載のコンテンツ送信装置。
【請求項４】
前記制御部は、前記待機情報に応じて前記切断時間を決定し、決定した前記切断時間が経過した後、前記コンテンツ出力装置との再接続処理を行う、請求項３に記載のコンテンツ送信装置。
【請求項５】
前記受信部は、前記コンテンツ出力装置から前記待機情報に応じた前記切断時間を受信し、
前記制御部は、受信した前記切断時間が経過した後、前記コンテンツ出力装置との再接続処理を行う、請求項３に記載のコンテンツ送信装置。
【請求項６】
前記制御部は、前記待機情報に応じた切断時間の間、前記送信部および前記受信部を含む通信モジュールへの電力供給を止めるように制御する、請求項１〜５のいずれか１項に記載のコンテンツ送信装置。
【請求項７】
コンテンツデータの出力順序を管理し、前記出力順序に基づいて、出力するコンテンツデータを有するコンテンツ送信装置に送信指示し、前記コンテンツ送信装置から受信したコンテンツを出力する、
コンテンツ出力装置と、
前記送信指示を受信するための受信処理を行い、前記コンテンツ出力装置へのコンテンツデータの送信開始までの待ち時間を含む、前記コンテンツ出力装置へのコンテンツデータの送信開始までの待ち状況を示す待機情報を、前記コンテンツ出力装置から受信する受信部と、
前記送信指示に応じて前記コンテンツ出力装置へのコンテンツデータの送信を開始する送信部と、
前記待機情報に応じて変更される間欠受信周期に従って前記受信部に前記受信処理を行わせる制御部と、
を有する、コンテンツ送信装置と、
を含むコンテンツ再生システム。
【請求項８】
コンテンツ送信装置が、コンテンツ出力装置へのコンテンツデータの送信開始までの待ち時間を、前記コンテンツ出力装置から受信するステップと、
コンテンツ送信装置が、前記待ち時間の残り時間に応じて変更される間欠受信周期に従って受信処理を行うステップと、
前記コンテンツ出力装置が、コンテンツデータの出力順序に基づいて前記コンテンツ送信装置に送信指示するステップと、
前記送信指示に応じて、前記コンテンツ送信装置が、前記コンテンツ出力装置にコンテンツデータの送信を開始するステップと、を含むコンテンツ送信方法。
【請求項９】
コンピュータを、
コンテンツデータの出力順序に基づく送信指示をコンテンツ出力装置から受信するための受信処理を行い、前記コンテンツ出力装置へのコンテンツデータの送信開始までの待ち時間を含む、前記コンテンツ出力装置へのコンテンツデータの送信開始までの待ち状況を示す待機情報を、前記コンテンツ出力装置から受信する受信部と、
前記送信指示に応じて前記コンテンツ出力装置へのコンテンツデータの送信を開始する送信部と、
前記待機情報に応じて変更される間欠受信周期に従って前記受信部に前記受信処理を行わせる制御部と、
を備えるコンテンツ送信装置として機能させるための、プログラム。
【発明の詳細な説明】
【技術分野】
【０００１】
本発明は、コンテンツ送信装置、コンテンツ再生システム、コンテンツ送信方法、およびプログラムに関する。
【背景技術】
【０００２】
従来、音楽や動画などのコンテンツを他の装置に伝送するためには、ケーブルを用いてコンテンツの伝送元と伝送先とを接続し、ケーブルを介して伝送が行われていた。例えば、特許文献１には、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４に規定のインタフェースによりビデオ信号およびオーディオ信号を入出力するＡＶ（Ａｕｄｉｏ  Ｖｉｓｕａｌ）システムが記載されている。
【先行技術文献】
【特許文献】
【０００３】
【特許文献１】特許第３８３４８９７号
【発明の概要】
【発明が解決しようとする課題】
【０００４】
一方、無線通信の発達に伴い、無線通信を用いてコンテンツを伝送することのできるコンテンツ再生システムが提案されてきている。コンテンツを出力装置に対して送信するコンテンツ送信装置は、通常、出力装置からの送信指示に応じてコンテンツを出力装置に対して送信開始する。この送信開始までの待機状態において、待ち時間の長いコンテンツ送信装置は、受信処理にかかる無駄な消費電力が発生する可能性が高いという問題があった。特に、バッテリにより駆動する携帯型の装置においては、省消費電力性能が求められる傾向にある。
【０００５】
そこで、本発明は、上記問題に鑑みてなされたものであり、本発明の目的とするところは、コンテンツ出力装置に対するコンテンツ送信開始までの待ち状況に応じて消費電力の低減を図ることが可能な、新規かつ改良されたコンテンツ送信装置、コンテンツ再生システム、コンテンツ送信方法、およびプログラムを提供することにある。
【課題を解決するための手段】
【０００６】
上記課題を解決するために、本発明のある観点によれば、コンテンツデータの出力順序に基づく送信指示をコンテンツ出力装置から受信するための受信処理を行う受信部と、上記送信指示に応じて上記コンテンツ出力装置へのコンテンツデータの送信を開始する送信部と、上記コンテンツ出力装置へのコンテンツデータの送信開始までの待ち状況を示す待機情報に応じ、上記受信部に上記受信処理を行わせる時間間隔を制御する制御部と、を有するコンテンツ送信装置が提供される。
【０００７】
また、上記制御部は、上記待機情報に応じた間欠受信周期に従って上記受信部に上記受信処理を行わせてもよい。
【０００８】
また、上記受信部は、上記コンテンツ出力装置から上記待機情報を受信し、上記制御部は、受信した上記待機情報に基づいて上記間欠受信周期を決定してもよい。
【０００９】
また、上記受信部は、上記コンテンツ出力装置が上記待機情報に基づいて決定した間欠受信周期を上記コンテンツ出力装置から受信し、上記制御部は、受信した上記間欠受信周期に従って上記受信部に上記受信処理を行わせてもよい。
【００１０】
また、上記待機情報は、上記コンテンツ出力装置へのコンテンツデータの送信開始までの待ち時間又は待ちコンテンツ数の少なくともいずれかの値を含み、上記間欠受信周期は、上記待機情報に含まれる上記値が大きいほど長くなるように決定されてもよい。
【００１１】
また、上記制御部は、上記コンテンツ出力装置との接続が切断されてから上記待機情報に応じた切断時間が経過した後、上記コンテンツ出力装置との再接続処理を行ってもよい。
【００１２】
また、上記制御部は、上記待機情報に応じて上記切断時間を決定し、決定した上記切断時間が経過した後、上記コンテンツ出力装置との再接続処理を行ってもよい。
【００１３】
また、上記受信部は、上記コンテンツ出力装置から上記待機情報に応じた上記切断時間を受信し、上記制御部は、受信した上記切断時間が経過した後、上記コンテンツ出力装置との再接続処理を行ってもよい。
【００１４】
また、上記制御部は、上記待機情報に応じた切断時間の間、上記送信部および上記受信部を含む通信モジュールへの電力供給を止めるように制御してもよい。
【００１５】
また、上記課題を解決するために、本発明の別の観点によれば、コンテンツデータの出力順序を管理し、上記出力順序に基づいて、出力するコンテンツデータを有するコンテンツ送信装置に送信指示し、上記コンテンツ送信装置から受信したコンテンツを出力するコンテンツ出力装置と、上記送信指示を受信するための受信処理を行う受信部と、上記送信指示に応じて上記コンテンツ出力装置へのコンテンツデータの送信を開始する送信部と、上記コンテンツ出力装置へのコンテンツデータの送信開始までの待ち状況を示す待機情報に応じ、上記受信部に上記受信処理を行わせる時間間隔を制御する制御部と、を有するコンテンツ送信装置と、を含むコンテンツ再生システムが提供される。
【００１６】
また、上記課題を解決するために、本発明の別の観点によれば、コンテンツ送信装置が、コンテンツ出力装置へのコンテンツデータの送信開始までの待ち状況を示す待機情報に応じた時間間隔で受信処理を行うステップと、上記コンテンツ出力装置が、コンテンツデータの出力順序に基づいて上記コンテンツ送信装置に送信指示するステップと、上記送信指示に応じて、上記コンテンツ送信装置が、上記コンテンツ出力装置にコンテンツデータの送信を開始するステップと、を含むコンテンツ送信方法が提供される。
【００１７】
また、上記課題を解決するために、本発明の別の観点によれば、コンピュータを、コンテンツデータの出力順序に基づく送信指示をコンテンツ出力装置から受信するための受信処理を行う受信部と、上記送信指示に応じて上記コンテンツ出力装置へのコンテンツデータの送信を開始する送信部と、上記コンテンツ出力装置へのコンテンツデータの送信開始までの待ち状況を示す待機情報に応じ、上記受信部に上記受信処理を行わせる時間間隔を制御する制御部と、を有するコンテンツ送信装置として機能させるための、プログラムが提供される。
【発明の効果】
【００１８】
以上説明したように本発明によれば、コンテンツ出力装置に対するコンテンツ送信開始までの待ち状況に応じて消費電力の低減を図ることが可能となる。
【図面の簡単な説明】
【００１９】
【図１】本発明の一実施形態に係るコンテンツ再生システムの構成を示す説明図である。
【図２】本発明の一実施形態にかかるコンテンツ再生システムの概要を示す説明図である。
【図３】本発明の一実施形態にかかるコンテンツ再生システムの概要を示す説明図である。
【図４】本発明の一実施形態にかかるコンテンツ送信装置の構成を示すブロック図である。
【図５】本発明の一実施形態形態にかかるコンテンツ出力装置の構成を示すブロック図である。
【図６】本発明の一実施形態にかかるコンテンツ再生システムの第１の動作例を示すシーケンス図である。
【図７】第１の動作例においてコンテンツ送信装置が用いる待ち曲数と間欠受信周期との関係を示すテーブルである。
【図８】本発明の一実施形態にかかるコンテンツ再生システムの第２の動作例を示すシーケンス図である。
【図９】第２の動作例においてコンテンツ送信装置が用いる待ち時間と間欠受信周期との関係を示すテーブルである。
【図１０】本発明の一実施形態にかかるコンテンツ再生システムの第３の動作例を示すシーケンス図である。
【図１１】第３の動作例の変形例においてコンテンツ送信装置が用いる待ち曲数と切断時間との関係を示すテーブルである。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
また、本明細書および図面において、実質的に同一の機能構成を有する複数の構成要素を、同一の符号の後にハイフンを介して異なる番号を付して区別する場合もある。例えば、実質的に同一の機能構成を有する複数の構成を、必要に応じてコンテンツ送信装置１０−１、コンテンツ送信装置１０−２のように区別する。ただし、実質的に同一の機能構成を有する複数の構成要素の各々を特に区別する必要がない場合、同一符号のみを付する。例えば、コンテンツ送信装置１０−１、コンテンツ送信装置１０−２などを特に区別する必要が無い場合には、単にコンテンツ送信装置１０と称する。
【００２２】
なお、説明は以下の順序で行うものとする。
１．システム概要
２．コンテンツ送信装置の構成
３．コンテンツ出力装置の構成
４．動作例
４−１．第１の動作例
４−２．第２の動作例
４−３．第３の動作例
５．効果の例
【００２３】
＜１．システム概要＞
まず、図１を参照して、本発明の第１の実施形態に係るコンテンツ再生システムの概略構成について説明する。図１は、本発明の一実施形態に係るコンテンツ再生システムの構成を示す説明図である。本実施形態に係るコンテンツ再生システム１は、コンテンツ送信装置１０−１と、コンテンツ送信装置１０−２と、コンテンツ送信装置１０−３と、コンテンツ出力装置２０と、を有する。
【００２４】
コンテンツ送信装置１０−１と、コンテンツ送信装置１０−２と、コンテンツ送信装置１０−３と、コンテンツ出力装置２０とは、Ｗｉ−Ｆｉ  Ｄｉｒｅｃｔの仕様に従って相互に接続することができる無線通信装置である。そして、Ｗｉ−Ｆｉ  ＤｉｒｅｃｔにおいてＧｒｏｕｐ  Ｏｗｎｅｒの役割を有する無線通信装置が、コンテンツ出力装置２０として機能し、Ｃｌｉｅｎｔの役割を有する無線通信装置は、コンテンツ送信装置１０として機能する。
【００２５】
例えば、図１に示したように、音楽再生機能を有するが、スピーカの小さな携帯電話と、スピーカの大きな音楽再生装置とでは、スピーカの大きな音楽再生装置がコンテンツ出力装置２０として機能し、スピーカの小さな携帯電話がコンテンツ送信装置１０として機能することが好ましい。
【００２６】
コンテンツ出力装置２０は、スピーカなどの出力部を有し、コンテンツ送信装置からの音楽再生予約を受け付ける。そして、コンテンツ出力装置２０は、再生予約された音楽コンテンツデータの出力順序を管理する。コンテンツ出力装置２０は、出力順序がまわってきた音楽のコンテンツデータを有するコンテンツ送信装置１０に対して、コンテンツデータの送信指示を送出する。そして、コンテンツ出力装置２０は、コンテンツ送信装置１０が送信指示に応じて送信したコンテンツデータを、スピーカから出力する。
【００２７】
コンテンツ送信装置１０−１、コンテンツ送信装置１０−２、およびコンテンツ送信装置１０−３は、音楽のコンテンツデータを有し、送信指示に応じて、無線接続によりコンテンツデータをコンテンツ出力装置２０に送信する。
【００２８】
以上に説明した構成を有するコンテンツ再生システム１において、コンテンツ送信装置１０−１、コンテンツ送信装置１０−２、およびコンテンツ送信装置１０−３が、自身の保持する音楽コンテンツのコンテンツデータをコンテンツ出力装置２０のスピーカから出力するために再生予約した場合の動作例について次に図２および図３を用いて説明する。図２および図３は、本発明の一実施形態にかかるコンテンツ再生システムの概要を示す説明図である。
【００２９】
図２を参照すると、例えば、コンテンツ送信装置１０−１、コンテンツ送信装置１０−２、およびコンテンツ送信装置１０−３は、それぞれコンテンツ出力装置の有するスピーカから音楽を出力するために、再生予約を実行する。この再生予約は、例えば、コンテンツ送信装置１０とコンテンツ出力装置２０のプッシュボタン（図示せず。）を押すことによって行われる。
【００３０】
例えば、コンテンツ送信装置１０−１、コンテンツ送信装置１０−２、コンテンツ送信装置１０−３の順に曲Ａ、曲Ｂ、曲Ｃの再生予約がそれぞれ行われる。このとき、コンテンツ出力装置２０は、再生予約リストによって予約された曲のコンテンツデータを出力する順序を管理する。すると、コンテンツ出力装置２０は、まず再生予約リストの先頭に記載された曲Ａのコンテンツデータを有するコンテンツ送信装置１０−１に対して送信指示を送出する。そして、この送信指示に応じてコンテンツ送信装置１０−１は、コンテンツ出力装置２０にコンテンツデータの送信を開始する。コンテンツ出力装置２０は、コンテンツ送信装置１０−２からコンテンツデータ受信すると受信したコンテンツデータを出力する。このようにして、コンテンツ再生システム１は、コンテンツ送信装置１０の有するコンテンツをコンテンツ出力装置２０のスピーカから出力することができる。
【００３１】
コンテンツ出力装置２０がコンテンツ送信装置１０−１から送信されたコンテンツデータを出力している間、コンテンツ送信装置１０−２およびコンテンツ送信装置１０−３は、待機状態となる。そして、曲Ａのコンテンツデータの出力が終了すると、コンテンツ出力装置２０は、次に再生予約リストで曲Ａの次に記載されている曲Ｂのコンテンツデータを有するコンテンツ送信装置１０−２に対して送信指示を送出する。コンテンツ出力装置２０は、送信指示を送出する際に、予めビーコン信号のＴＩＭ情報を利用して、コンテンツ送信装置１０−２に対する送信データがあることをコンテンツ送信装置１０−２に通知する。そして、コンテンツ出力装置２０は、コンテンツ送信装置１０−２が受信可能な状態となってから送信指示を送出する。このように、コンテンツ出力装置２０は、複数のコンテンツ送信装置１０からのコンテンツ再生予約を受け付け、コンテンツの出力順序に基づいて、出力順序が回ってきたコンテンツ送信装置１０にコンテンツの送信指示を送出することによって、コンテンツ送信装置１０によるコンテンツデータの送信を制御している。
【００３２】
このとき、コンテンツ送信装置１０−２およびコンテンツ送信装置１０−３は、コンテンツ出力装置２０から送信されるビーコン信号に含まれるＴＩＭ（Ｔｒａｆｆｉｃ  Ｉｎｄｉｃａｔｉｏｎ  Ｍｅｓｓａｇｅ）情報を受信して自装置に向けた送信データがあるか否かを知るために、間欠的に受信処理を行っている。このＴＩＭ情報を含むビーコン信号の送信周期は、通常１００ｍｓ程度であるのに対し、一般的に音楽コンテンツや映像コンテンツの再生には、１コンテンツ当たり少なくとも分単位の時間を占有される。このため、この受信処理をビーコン信号送信タイミングの度に行っていると、無駄な電力が消費される。
【００３３】
そこで、本実施形態に係るコンテンツ送信装置１０は、受信処理を行う時間間隔を制御することにより消費電力の低減を図る。受信処理を行う時間間隔は、例えば、間欠受信周期の値を変更すること、または、通信の接続および切断を変更することにより制御することができる。この機能を実現するためのコンテンツ送信装置１０の構成について、次に説明する。
【００３４】
＜２．コンテンツ送信装置の構成＞
図４は、コンテンツ送信装置１０の構成を示すブロック図である。本実施形態に係るコンテンツ送信装置１０は、データ処理部１０４、伝送処理部１０８、無線インタフェース部１１２、通信制御部１１６、メモリ１２０、アンテナ１２４、予約制御部１６０、記憶部１６２、表示部１６４、および入力部１６６を主に有する。
【００３５】
このうち、データ処理部１０４、伝送処理部１０８、無線インタフェース部１１２、およびアンテナ１２４は、通信制御部１１６が動作を制御することにより、送信部および受信部として機能する。
【００３６】
無線信号を受信するときには、無線インタフェース部１１２は、アンテナ１２４より受信された無線信号をダウンコンバージョンし、ビット列に変換することにより各種データフレームを復号する。伝送処理部１０８は、無線インタフェース部１１２から供給される各種データフレームに誤りがないことを確認すると、各種データフレームをデータ処理部１０４に供給する。データ処理部１０４は、伝送処理部１０８から要求される各種データフレームおよびデータパケットを処理し、解析する。
【００３７】
また、無線信号を送信するときには、データ処理部１０４は、例えば再生処理部１４８などからの要求に応じて各種データフレーム、データパケットを生成して伝送処理部１０８に供給する。伝送処理部１０８は、データ処理部１０４で生成されたパケットに対して各種データヘッダおよびＦＣＳ（Ｆｒａｍｅ  Ｃｈｅｃｋ  Ｓｅｑｕｅｎｃｅ）などの誤り検出符号の付加などの処理を行い、処理後のデータを無線インタフェース部１１２に供給する。無線インタフェース部１１２は、伝送処理部１０８から受け取ったデータから搬送波の周波数帯の変調信号を生成し、アンテナ１２４から無線信号として送信させる。
【００３８】
通信制御部１１６は、データ処理部１０４、伝送処理部１０８、無線インターフェース部１１２、及びアンテナ１２４の動作を制御し、受信部または送信部として機能させる。例えば、通信制御部１１６は、予約制御部１６０の指示に応じて、データ処理部１０４、伝送処理部１０８、無線インターフェース部１１２、及びアンテナ１２４の動作を制御し、再生予約メッセージを送信する送信部として機能させる。或いは、再生予約を行った後に再生開始までの待機している場合には、通信制御部１１６は、データ処理部１０４、伝送処理部１０８、無線インターフェース部１１２、及びアンテナ１２４の動作を制御し、コンテンツ出力装置２０へのコンテンツデータの送信開始までの待ち状況を示す待機情報に応じて受信処理を行わせる時間間隔を制御する。具体的には、通信制御部１１６は、待機情報に応じた間欠受信周期で受信処理を行わせるようデータ処理部１０４、伝送処理部１０８、無線インターフェース部１１２、及びアンテナ１２４の動作を制御する。或いは、通信制御部１１６は、待機情報に応じて、コンテンツ出力装置との通信を一時切断することにより、受信処理を行わせる時間間隔を制御する。
【００３９】
メモリ１２０は、通信制御部１１６によるデータ処理の作業領域としての役割や、各種データを保持する記憶媒体としての機能を有する。メモリ１２０は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００４０】
予約制御部１６０は、入力部１６６からの操作情報に基づいて、コンテンツ出力装置２０に対して、コンテンツの再生予約を行う。具体的には、予約制御部１６０は、表示部１６４に再生予約画面を表示させ、入力部１６６を介してユーザの再生予約操作を取得して再生予約メッセージを生成し、生成した再生予約メッセージをコンテンツ出力装置２０に対して送信するよう、通信制御部１１６に指示する。また、予約制御部１６０は、コンテンツ出力装置２０から、送信指示を受信すると、この送信指示に応じて、コンテンツデータを記憶部１６２から取得し、コンテンツ出力装置２０に対して送信するよう通信制御部１１６に指示する。
【００４１】
記憶部１６２は、例えばコンテンツデータを記憶する記憶媒体としての機能を有する。記憶部１６２は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００４２】
表示部１６４は、予約制御部１６０の制御に応じて各種の情報をユーザに対して出力する出力装置の一例である。例えば、コンテンツ送信装置１０自身が記憶部１６２に有するコンテンツデータの一覧を表示し、ユーザにコンテンツ出力装置２０から出力させるコンテンツデータを選択させてもよい。或いは、コンテンツ出力装置２０が管理する再生予約リストをコンテンツ出力装置２０から取得し、表示部１６４に表示させてもよい。
【００４３】
入力部１６６は、例えば、マウス、キーボード、タッチパネル、ボタン、マイク、スイッチおよびレバーなどユーザが情報を入力するための入力手段と、ユーザによる入力に基づいて入力信号を生成し、ＣＰＵ（図示せず）に出力する入力制御回路などから構成されている。コンテンツ送信装置１０のユーザは、入力手段を操作することにより、コンテンツ送信装置１０に対して各種のデータを入力したり処理動作を指示したりすることができる。
【００４４】
なお、上記通信制御部１１６、および予約制御部１６０の各部の機能は、実際には、図示しないＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより達成される。
【００４５】
＜３．コンテンツ出力装置の構成＞
図５は、コンテンツ出力装置２０の構成を示すブロック図である。本実施形態に係るコンテンツ出力装置２０は、データ処理部２０４、伝送処理部２０８、無線インタフェース部２１２、通信制御部２１６、メモリ２２０、アンテナ２２４、スピーカ２３２、アンプ２４４、再生処理部２４８、再生制御部２５２、および記憶部２５６を主に有する。
【００４６】
このうち、データ処理部２０４、伝送処理部２０８、無線インタフェース部２１２、およびアンテナ２２４は、通信制御部２１６が動作を制御することにより、送信部および受信部として機能する。
【００４７】
無線信号を受信するときには、無線インタフェース部２１２は、アンテナ２２４より受信された無線信号をダウンコンバージョンし、ビット列に変換することにより各種データフレームを復号する。伝送処理部２０８は、無線インタフェース部２１２から供給される各種データフレームに誤りがないことを確認すると、各種データフレームをデータ処理部２０４に供給する。データ処理部２０４は、伝送処理部２０８から要求される各種データフレームおよびデータパケットを処理し、解析する。
【００４８】
また、無線信号を送信するときには、データ処理部２０４は、例えば再生処理部２４８などからの要求に応じて各種データフレーム、データパケットを生成して伝送処理部２０８に供給する。伝送処理部２０８は、データ処理部２０４で生成されたパケットに対して各種データヘッダおよびＦＣＳ（Ｆｒａｍｅ  Ｃｈｅｃｋ  Ｓｅｑｕｅｎｃｅ）などの誤り検出符号の付加などの処理を行い、処理後のデータを無線インタフェース部２１２に供給する。無線インタフェース部２１２は、伝送処理部１０８から受け取ったデータから搬送波の周波数帯の変調信号を生成し、アンテナ２２４から無線信号として送信させる。
【００４９】
通信制御部２１６は、例えば、再生予約メッセージやコンテンツデータをコンテンツ送信装置１０から受信すると、再生制御部２５２に受信した情報を受け渡す。また、通信制御部２１６は、再生制御部２５２の指示に応じて、再生予約リストの順番がまわってきたコンテンツを有するコンテンツ送信装置１０に対して、送信指示を送信する。或いは、通信制御部２１６は、それぞれのコンテンツ送信装置１０がコンテンツの送信を開始するまでの待ち状況を示す待機情報をコンテンツ送信装置１０に対して送信する。
【００５０】
メモリ２２０は、通信制御部２１６によるデータ処理の作業領域としての役割や、各種データを保持する記憶媒体としての機能を有する。メモリ２２０は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００５１】
スピーカ２３２は、コンテンツの再生データを出力する出力装置である。本実施形態においては、出力装置としてスピーカを有する構成を例に挙げたが、これに限られたものではない。例えば、ディスプレイを有する装置であって、動画コンテンツを出力できるものであってもよい。
【００５２】
アンプ２４４は、再生処理部１４８より入力された信号を増幅してスピーカ２３２に入力する機能を有する。また、再生処理部２４８は、入力されたコンテンツデータのデコード処理などを行う。再生制御部２５２は、再生処理部２４８が再生処理を行うよう制御する機能を有する。
【００５３】
記憶部１５６は、例えばコンテンツデータを記憶する記憶媒体としての機能を有する。また、再生予約リストを記憶する記憶媒体としても機能する。記憶部１５６は、不揮発性メモリ、磁気ディスクなどの記憶媒体であってもよい。不揮発性メモリとしては、例えば、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。
【００５４】
＜４．動作例＞
以上、本発明の一実施形態形態に係るコンテンツ送信装置１０およびコンテンツ出力装置２０の構成について説明してきた。上述の通り、コンテンツ送信装置１０は、受信処理を行う時間間隔を制御することにより消費電力の低減を図る。受信処理を行う時間間隔は、例えば、間欠受信周期の値を変更すること、または、通信の接続および切断を変更することにより制御することができる。この動作の具体例について、次に第１〜第３の動作例を挙げて説明していく。
【００５５】
（４−１．第１の動作例）
まず、第１の動作例においては、コンテンツ送信装置１０は、通信制御部１１６が、待機情報により示される待ち曲数に応じた間欠受信周期に従って受信部に受信処理を行わせることにより、受信部の行う受信処理の時間間隔を制御する。このとき、間欠受信周期は、待ち曲数が多いほど長い周期となるように決定される。このときのコンテンツ再生システム１の動作について、図６および図７を用いて次に説明する。
【００５６】
図６は、コンテンツ再生システム１の第１の動作例を示すシーケンス図である。また図６は、第１の動作例においてコンテンツ送信装置１０が用いる待ち曲数と間欠受信周期との関係を示すテーブルである。コンテンツ送信装置１０の通信制御部１１６は、例えばメモリ１２０に記憶された、図６に示すテーブルを参照することによって、間欠受信周期を決定することができる。
【００５７】
まず、コンテンツ送信装置１０は、コンテンツ送信装置１０−１、コンテンツ送信装置１０−２、コンテンツ送信装置１０−３の順番で、コンテンツ出力装置２０に対して再生予約を実行する。この再生予約は、例えば、コンテンツ送信装置１０とコンテンツ出力装置２０とのプッシュボタンを押すことによって行う。すると、コンテンツ送信装置１０から再生予約メッセージが送信され（Ｓ１０２〜Ｓ１０６）、プッシュボタンを押されているコンテンツ出力装置２０は、この再生予約メッセージを受付ける。
【００５８】
再生予約メッセージを受付けたコンテンツ出力装置２０は、再生予約メッセージの順番に応じて、再生を開始するコンテンツを有する装置であるコンテンツ送信装置１０−１に送信指示を入力する（Ｓ１０８）。さらに、コンテンツ出力装置２０は、コンテンツの送信を待機しているコンテンツ送信装置１０に対して、待ち曲数を示す待機情報を送信する。例えば、コンテンツ送信装置１０−２に対しては、コンテンツ出力装置２０は、待ち曲数が１曲であることを示す待機情報を送信する（Ｓ１１０）。この待機情報を受信したコンテンツ送信装置１０−２は、図７に示すテーブルを参照して間欠受信周期を１００ｍｓと決定し、１００ｍｓ毎に間欠受信を行う（Ｓ１１２）。そして、コンテンツ送信装置１０−３に対しては、コンテンツ出力装置２０は、待ち曲数が２曲であることを示す待機情報を送信する（Ｓ１１４）。この待機情報を受信したコンテンツ送信装置１０−３は、同様に図７に示すテーブルを参照して、間欠受信周期を１０００ｍｓ（つまり１ｓ）に決定し、１ｓ毎に間欠受信を行う（Ｓ１１６）。
【００５９】
一方、ステップＳ１０８において送信指示を受信したコンテンツ送信装置１０−１は、この送信指示に応じて、再生予約したコンテンツ（曲Ａ）をコンテンツ出力装置２０に送信開始する（Ｓ１１８）。コンテンツ送信装置１０−１が、曲Ａの音楽データをコンテンツ出力装置２０に送信すると（Ｓ１２０）、受信したコンテンツ出力装置２０は、曲Ａを出力開始する（Ｓ１２２）。ここで送信される音楽データは、ストリーミングデータであるため、コンテンツ出力装置２０はこのストリーミングデータを順次受信しながら出力する（Ｓ１２４，Ｓ１２６）。
【００６０】
そして、コンテンツ出力装置２０は、曲Ａの再生終了を検知すると、次に、コンテンツ送信装置１０−２に対して送信指示を入力し（Ｓ１３０）、コンテンツ送信装置１０−３に対しては、待ち曲数が１曲となったことを示す待機情報を送信する（Ｓ１３２）。ステップＳ１３２において待機情報を受信したコンテンツ送信装置１０−３は、再び図６のテーブルを参照して間欠受信周期を決定する。この場合には、待ち曲数が１曲であるため、間欠受信周期を１００ｍｓと決定して、１００ｍｓ毎に間欠受信を行う（Ｓ１３４）。
【００６１】
ステップＳ１３０において送信指示を受信したコンテンツ送信装置１０−２は、この送信指示に応じて、再生予約したコンテンツ（曲Ｂ）をコンテンツ出力装置に送信開始する（Ｓ１３６）。コンテンツ送信装置１０−２が、曲Ｂの音楽データをコンテンツ出力装置２０に送信すると（Ｓ１３８）、受信したコンテンツ出力装置２０は、曲Ｂを出力開始する（Ｓ１４０）。コンテンツ送信装置１０−１の場合と同様に、コンテンツ送信装置１０−２は、曲Ｂの音楽データをストリーミング形式で送出するため、コンテンツ出力装置２０は、このストリーミングデータを順次受信しながら出力する（Ｓ１４２，Ｓ１４４）。
【００６２】
そして、コンテンツ出力装置２０は、曲Ｂの再生終了を検知すると、次に、コンテンツ送信装置１０−３に対して送信指示を入力する（Ｓ１４８）。この送信指示に応じて、コンテンツ送信装置１０−３は、再生予約したコンテンツ（曲Ｃ）をコンテンツ出力装置２０に送信開始する（Ｓ１５０）。コンテンツ送信装置１０−３が、曲Ｃの音楽データをコンテンツ出力装置２０に送信すると（Ｓ１５２）、コンテンツ出力装置２０は、曲Ｃを再生開始する（Ｓ１５４）。音楽データの送信は、曲Ｃの再生終了まで継続される（Ｓ１５６，Ｓ１５８，Ｓ１６０）。
【００６３】
（４−２．第２の動作例）
次に、第２の動作例においては、コンテンツ送信装置１０は、通信制御部１１６が、待機情報により示される待ち時間に応じた間欠受信周期に従って受信部に受信処理を行わせることにより、受信部の行う受信処理の時間間隔を制御する。このとき、間欠受信周期は、待ち時間が多いほど長い周期となるように決定される。このときのコンテンツ再生システム１の動作について、図８および図９を用いて次に説明する。
【００６４】
図８は、コンテンツ再生システム１の第２の動作例を示すシーケンス図である。また、図９は、第２の動作例においてコンテンツ送信装置１０が用いる待ち時間と間欠受信周期との関係を示すテーブルである。
【００６５】
なお、コンテンツ再生システム１の第２の動作例は、第１の動作例においては待ち曲数に応じて間欠受信周期を決定するのに対し、第２の動作例においては待ち時間に応じて間欠受信周期を決定する点において異なる。その他の動作については、第１の動作例と同様であるため、ここでは説明を省略する。以下、コンテンツ再生動作について、第１の動作例と異なる部分について主に説明する。
【００６６】
コンテンツ再生システム１の第２の動作例は、待機情報として、待ち時間を用いる点において第１の動作例と異なる。このため、各コンテンツ送信装置からの再生予約メッセージと共に、再生予約するコンテンツの再生時間が通知される（Ｓ２０２〜Ｓ２０６）。
【００６７】
コンテンツ出力装置２０は、コンテンツデータの出力順序に基づいて、送信開始するコンテンツを有する装置であるコンテンツ送信装置１０−１に、送信指示を入力する（Ｓ２０８）。これと共に、待機状態となるコンテンツ送信装置１０−２、およびコンテンツ送信装置１０−３に対しては、コンテンツ出力装置２０は、待ち時間で示される待機情報を送信する（Ｓ２１０，Ｓ２１４）。例えば、コンテンツ送信装置１０−２は、曲Ａの再生の間、待機状態となるため、待ち時間が曲Ａの再生時間である３分３０秒であると通知される。また、コンテンツ送信装置１０−３は、曲Ａおよび曲Ｂの再生の間、待機状態となるため、待ち時間が、曲Ａの再生時間である３分３０秒と曲Ｂの再生時間である４分とを加算した７分３０秒であると通知される。
【００６８】
コンテンツ送信装置１０−２、およびコンテンツ送信装置１０−３は、この待機情報に基づき、図９に示すテーブルを参照して間欠受信周期を決定する。例えばコンテンツ送信装置１０−２は、待ち時間が３分３０秒であるため、間欠受信周期は５０００ｍｓ（即ち、５ｓ）である。そしてコンテンツ送信装置１０−３は、待ち時間が７分３０秒であるため、間欠受信周期は１００００ｍｓ（即ち、１０ｓ）である。従って、コンテンツ送信装置１０−２は、５ｓ毎に間欠受信を実行し（Ｓ２１２）、コンテンツ送信装置１０−３は、１０ｓ毎に間欠受信を実行する（Ｓ２１６）。
【００６９】
以下、第１の動作例と同様に、曲Ａの再生処理がなされる（Ｓ２１８〜Ｓ２２６）。そして、曲Ａの再生終了が検知されると、コンテンツ出力装置２０は、次に、コンテンツ送信装置１０−２に対して送信指示を入力し（Ｓ２３０）、コンテンツ送信装置１０−３に対しては、待ち時間が４分であることを示す待機情報を送信する（Ｓ２３２）。
【００７０】
コンテンツ送信装置１０−３は、この待機情報に基づき、再び図９に示すテーブルを参照して間欠受信周期を決定する。この場合には、待ち時間が４分であるため、間欠受信周期は５ｓと決定される。従って、コンテンツ送信装置１０−３は、５ｓ毎に間欠受信を実行する（Ｓ２３４）。以下、同様に曲Ｂおよび曲Ｃの再生処理が実行される（Ｓ２３６〜Ｓ２５８）。
【００７１】
以上、第１および第２の動作例においては、コンテンツ送信装置１０が待ち状況に応じた間欠受信周期で受信処理を行わせることによって受信部の行う受信処理の時間間隔を制御する例について説明してきた。次に説明する第３の動作例においては、コンテンツ送信装置１０は、待ち状況に応じてコンテンツ送信装置１０とコンテンツ出力装置２０との間の通信接続を切断することにより、受信部に受信処理を行わせる時間間隔を制御する。
【００７２】
（４−３．第３の動作例）
図１０は、コンテンツ再生システム１の第３の動作例を示すシーケンス図である。また、図１１は、第３の動作例の変形例においてコンテンツ送信装置１０が用いる待ち曲数と切断時間との関係を示すテーブルである。
【００７３】
コンテンツ再生システム１の第３の動作例は、待機情報に応じた切断時間の間、コンテンツ送信装置１０とコンテンツ出力装置２０との間の通信接続を切断することにより、受信部に受信処理を行わせる時間間隔を制御する。さらに消費電力を低減するために、接続を切断している間、コンテンツ送信装置１０の通信モジュールの電源自体を切断してもよい。
【００７４】
図１０を参照すると、まず、コンテンツ出力装置２０に対して、複数のコンテンツ送信装置１０が、コンテンツ送信装置１０−１、コンテンツ送信装置１０−２、コンテンツ送信装置１０−３の順番で再生予約を行う。このとき、コンテンツ送信装置１０は、それぞれコンテンツの再生時間を通知する（Ｓ３０２〜Ｓ３０６）。
【００７５】
コンテンツ出力装置２０は、この待ち時間に応じた切断時間を決定し、待機状態であるコンテンツ送信装置１０−２およびコンテンツ送信装置１０−３に対して通知する（Ｓ３１０，Ｓ３１４）。この切断時間は、所定の計算式に基づいて決定される。本動作例においては、コンテンツ送信装置は、コンテンツデータの送信開始の３０秒前に、コンテンツ出力装置２０と再接続を行う。
【００７６】
すなわち、コンテンツ送信装置１０−２は、コンテンツ出力装置２０から切断時間が３分であることを示す切断時間情報を受信し（Ｓ３１０）、受信した切断時間をタイマーに設定する。そして、この切断時間が経過するまで、コンテンツ送信装置１０−２は、コンテンツ出力装置２０との接続を切断し、さらに電源も切断する（Ｓ３１２）。コンテンツ送信装置１０−２は、通知された切断時間の経過後、コンテンツ出力装置２０との再接続処理を行う（Ｓ３２６）。なお、この再接続処理の際には、例えばＷｉ−Ｆｉ  Ｄｉｒｅｃｔの場合、機器発見やＧｒｏｕｐ  Ｏｗｎｅｒ  ＮｅｇｏｔｉａｔｉｏｎやＷＰＳによるセキュリティ設定は、再生予約時に済ませてあるため、これらの処理を省略して即Ａｓｓｏｃｉａｔｉｏｎを行ってもよい。この場合、接続までの時間が短縮される効果がある。
【００７７】
同様に、コンテンツ送信装置１０−３は、コンテンツ出力装置２０から切断時間が７分であることを示す切断時間情報を受信し（Ｓ３１４）、受信した切断時間をタイマーに設定する。そして、この切断時間が経過するまで、コンテンツ送信装置１０−３は、コンテンツ出力装置２０との接続を切断し、さらに電源も切断する（Ｓ３１６）。
【００７８】
なお、図１０の例においては、コンテンツ出力装置２０は、待ち時間−３０秒を切断時間としたが、本発明はかかる例に限定されない。コンテンツ送信装置が、コンテンツの送信開始前までにコンテンツ出力装置２０と再接続することができるならば、どのような方法により切断時間が決定されてもよい。例えば、コンテンツ出力装置２０は、図１１に示す待ち曲数と切断時間との関係を示すテーブルに従って切断時間を決定してもよい。或いは、図示しないが、待ち時間と切断時間との関係を示すテーブルを保持し、このテーブルに従って切断時間を決定してもよい。
【００７９】
＜５．効果の例＞
以上、本発明の一実施形態形態に係るコンテンツ再生システムの構成および動作例について説明してきた。本発明の一実施形態形態に係るコンテンツ再生システムは、コンテンツの出力順序を管理するコンテンツ出力装置２０が、出力順序の回ってきたコンテンツを有するコンテンツ送信装置１０に対して送信指示を入力することによってコンテンツ送信開始を促し、受信したコンテンツを出力する。このとき、待機状態であるコンテンツ送信装置が送信指示を受信するために行う受信処理の時間間隔を制御することのできるコンテンツ送信装置に関するものである。
【００８０】
この受信処理を行う時間間隔を制御する１つ目の方法は、第１および第２の動作例において説明したように、コンテンツ送信装置１０の間欠受信周期を制御することである。この間欠受信周期を、待ち時間の長いほど、或いは、待ち曲数の多いほど長くすることにより、受信処理にかかる消費電力を低減することができる。
【００８１】
そして、受信処理を行う時間間隔を制御する２つ目の方法は、第３の動作例において説明したように、待機情報に応じた長さの切断時間の間、コンテンツ送信装置１０とコンテンツ出力装置２０との間の接続を切断することである。これにより、コンテンツ送信装置１０とコンテンツ出力装置２０との間の接続が切断されている間は、受信処理が行われないため、受信処理にかかる消費電力を低減することができる。また、コンテンツ送信装置１０は、電源自体を切断することにより、さらに消費電力の低減を図ることができる。
【００８２】
また、通常、親機としてのコンテンツ出力装置２０が、子機として収容できる台数に制限がある場合には、制限台数以内のコンテンツ送信装置１０からの予約しか受付けることができない。しかし、待ち状況に応じて、一旦コンテンツ出力装置２０との接続を切断することにより、制限台数を超えるコンテンツ送信装置１０からの予約を受付けることができるという効果がある。
【００８３】
以上、添付図面を参照しながら本発明の好適な動作例について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８４】
例えば、上記動作例では、コンテンツ送信装置１０は携帯電話または音楽再生装置であることとしたが、本発明はこれに限られない。例えば、コンテンツ送信装置１０は、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であり、無線通信機能を有する装置であってもよい。
【００８５】
また、上記動作例においては、コンテンツ送信装置およびコンテンツ出力装置は、Ｗｉ−Ｆｉ  Ｄｉｒｅｃｔに従って相互に接続することとしたが、本発明はこれに限られない。一般的なＩＥＥＥ８０２．１１無線ＬＡＮシステムにおいて、Ａｃｃｅｓｓ  Ｐｏｉｎｔの役割を有する無線通信装置がコンテンツ出力装置として機能し、Ｓｔａｔｉｏｎの役割を有する無線通信装置がコンテンツ送信装置として機能することによっても実現される。
【００８６】
また、上記動作例における間欠受信周期を制御する方法とコンテンツ出力装置との接続を切断する方法とは、組み合わせて用いられてもよい。１台のコンテンツ出力装置２０に対して、コンテンツ送信装置１０−１、コンテンツ送信装置１０−２、コンテンツ送信装置１０−３、コンテンツ送信装置１０−４の順に再生予約が実行される場合に、コンテンツ送信装置１０−１はコンテンツ送信開始、コンテンツ送信装置１０−２は１００ｍｓ毎の間欠受信、コンテンツ送信装置１０−３は１ｓ毎の間欠受信、そして、コンテンツ送信装置１０−４は接続を切断し、所定時間経過後に再接続するようにしてもよい。そして、コンテンツ送信装置１０−１のコンテンツ再生が終了すると、コンテンツ送信装置１０−３は１００ｍｓ毎の間欠受信、コンテンツ送信装置１０−４は１ｓ毎の間欠受信へと遷移する。
【００８７】
また、上記動作例では、コンテンツ送信装置１０がコンテンツ出力装置２０に対して再生予約を実行することとしたが、本発明はかかる例に限定されない。例えば、コンテンツ送信装置１０のそれぞれが保有するコンテンツデータのリストをコンテンツ出力装置２０が参照して、コンテンツ出力装置２０において再生予約がなされることとしてもよい。この場合においても、同様に、コンテンツの出力順序に基づいてコンテンツの送信指示および待機情報の送信がなされる。
【００８８】
また、上記動作例では、出力するコンテンツは音楽コンテンツである場合について説明したが、本発明はかかる例に限定されない。例えば、映像コンテンツであってもよい。この場合、コンテンツ出力装置２０としては、スピーカに加えてディスプレイ等を有する装置が用いられる。
【００８９】
また、上記第１および第２の動作例においては、コンテンツ送信装置１０が、待機情報と間欠受信周期との関係を示すテーブルを用いて間欠受信周期を決定することとしたが、本発明はかかる例に限定されない。例えば、コンテンツ出力装置２０が、同様のテーブルを用いて間欠受信周期を決定し、コンテンツ送信装置１０に間欠受信周期を通知するようにしてもよい。この場合、コンテンツ送信装置１０は、通知された間欠受信周期に従って受信処理を実行する。
【００９０】
また、上記第２の動作例においては、コンテンツ送信装置１０は、コンテンツ出力装置２０から待機情報を受信するタイミングにおいて間欠受信の周期を変更することとしたが、本発明はかかる例に限定されない。例えば、コンテンツ送信装置１０は、最初に待機情報を受信した段階において、内部のタイマーにより待ち時間の残り時間をカウントするようにしてもよい。そして、この残り時間の変化に応じて、間欠受信の周期を自発的に変更してもよい。
【００９１】
また、上記第３の動作例においては、コンテンツ送信装置１０がコンテンツ出力装置２０との接続を切断することとしたが、本発明はかかる例に限定されない。例えば、コンテンツ出力装置２０が、切断時間情報を通知した後にコンテンツ送信装置１０との接続を切断してもよい。
【００９２】
また、上記第３の動作例においては、コンテンツ出力装置２０は、待機状態となるコンテンツ送信装置１０の全てとの接続を切断することとしたが、本発明はかかる例に限定されない。例えば、コンテンツ出力装置２０は、接続を維持するか否かを決定するための閾値Ｘを保持しており、例えばＸ＝２の場合には、待ち曲数が２曲以上の端末に対して、切断時間を通知して接続を切断してもよい。
【００９３】
また、上記第３の動作例においては、コンテンツ出力装置２０が切断時間を決定してコンテンツ送信装置に通知することとしたが、本発明はかかる構成に限定されない。例えば、コンテンツ出力装置２０が待ち状況を示す待機情報をコンテンツ送信装置に通知し、コンテンツ送信装置が切断時間を決定してもよい。
【００９４】
尚、本明細書において、シーケンス図に記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【００９５】
１０              コンテンツ送信装置
１０４，２０４    データ処理部
１０８，２０８    伝送処理部
１１２，２１２    無線インターフェース部
１１６，２１６    通信制御部
１２０，２２０    メモリ
１２４，２２４    アンテナ
１６０            予約制御部
１６２，２５６    記憶部
１６４            表示部
１６６            入力部
２０              コンテンツ出力装置
２３２            スピーカ
２４４            アンプ
２４８            再生処理部
２５２            再生制御部
【図１】
0005510000.tif 000002
【図２】
0005510000.tif 000003
【図３】
0005510000.tif 000004
【図４】
0005510000.tif 000005
【図５】
0005510000.tif 000006
【図６】
0005510000.tif 000007
【図７】
0005510000.tif 000008
【図８】
0005510000.tif 000009
【図９】
0005510000.tif 000010
【図１０】
0005510000.tif 000011
【図１１】
0005510000.tif 000012